(57)【要約】      （修正有）【課題】巾狭の置物（テーブル）を介して打ち合わせ等を行う人間の間に互いが発する飛沫による悪影響を防止する仕切板を提供する。【解決手段】仕切板１００は天井６からスプリング５を介して上下動可能に吊下されるプレート１からなり、このプレート１は吊下端において拘束具３によりテーブル８上に固定される。これにより打ち合わせを行う人間の間に仕切板１００を設けることができる。【選択図】図１
0003230171.tif 000002
【実用新案登録請求の範囲】
【請求項１】
巾狭の置物を挟んで近接して対面で打ち合わせをする人間の発する飛沫等による弊害を防止すべく中間位置に配置される仕切板（パーテーションボードとも言う）であって、該仕切板は天井位置から上下動可能に吊下される透明又は半透明又は不透明のプレートからなり、該プレートの吊下端には前記プレートの上方への移動を拘束する拘束具が着脱可能に設けられることを特徴とする近接位置に上下動可能に配置される仕切板。
【請求項２】
前記仕切板が樹脂板，ガラス板，木材板からなることを特徴とする請求項１に記載の近接位置に上下動可能に配置される仕切板。
【考案の詳細な説明】
【技術分野】
【０００１】  本考案は、巾狭の置物を挟んで近接して対面する人間の発する飛沫等による弊害を防止すべく中間位置に配置され上下動可能に形成される近接位置に上下動可能に配置される仕切板に関する。
【背景技術】
【０００２】  対峙して打ち合わせ等を行う場合に相互の発する飛沫による弊害を防止すべく仕切板（パーテーションボードとも言う）が介設される場合が多く、種々の形態の仕切板が従来より設けられており、その公知技術も数多く存在している。例えば、「特許文献１」や「特許文献２」等が有る。
【先行技術文献】
【特許文献】
【０００３】
【特許文献１】実登録第３１５２００９号
【特許文献２】実登録第３１６９９１５号
【考案の概要】
【考案が解決しようとする課題】
【０００４】  前記の「特許文献１」や「特許文献２」は夫々特徴を有するものではあるが、後記する本考案の仕切板とは構造も特徴も相違するものであり、類似する公知技術ではない。また、本考案の出願人の調査によれば本考案と同一又は類似する公知技術は見当らない。【０００５】  本考案の仕切板は近接した距離間で打ち合わせ等を行う人間の間に互に発する飛沫等による悪影響を防止する目的のために考案されたものであり、狭い位置に配置され上下動可能に形成されることを目的とするものである。
【課題を解決するための手段】
【０００６】    本考案は、以上の目的を達成するために請求項１の考案は、巾狭の置物を挟んで近接して対面で打ち合わせをする人間の発する飛沫等による弊害を防止すべく中間位置に配置される仕切板（パーテーションボードとも言う）であって、該仕切板は天井位置から上下動可能に吊下される透明又は半透明又は不透明のプレートからなり、該プレートの吊下端には前記プレートの上方への移動を拘束する拘束具が着脱可能に設けられることを特徴とする。【０００７】  また、請求項２の考案は、前記仕切板が樹脂板，ガラス板，木材板からなることを特徴とする。
【考案の効果】
【０００８】  本考案の請求項１の近接位置に上下動可能に配置される仕切板によれば、この仕切板は天井から上下動可能に吊下形成されたものであり、巾狭の置物を介して近接して配置している人間の間における飛沫等による弊害を防止することが出来ると共に巾狭の置物の間に有効に配置される特徴を有するものである。また、吊下端では拘束具により固定され、安全に使用される効果が上げられる。【０００９】  また、本考案の請求項２の近接位置に上下動可能に配置される仕切板によれば、この仕切板は透明又は半透明又は不透明のプレートからなり、具体的には一般に用いられている樹脂板，ガラス板，木材板からなり、容易に、かつ比較的安価に形成することが出来る。
【図面の簡単な説明】
【００１０】
【図１】  本考案の仕切板の概要構造を示す正面図。
【図２】  本考案の仕切板の配置の概要を示す側面図。
【図３】  本考案の仕切板の吊下端における拘束具による拘束状態を示す部分側面断面図。
【考案を実施するための形態】
【００１１】  以下、本考案の近接位置に上下動可能に配置される仕切板の実施の形態を図面を用いて詳述する。
【実施例１】
【００１２】  図１に示すように本考案の仕切板１００のプレート１は透明又は半透明又は不透明の比較的薄肉のプレートからなり、下端側には打ち合わせ時における各種のやり取りの可能な空間部２が形成されている。しかしこの空間部２が無くてもよい。また、その下端には図３に示すように拘束具３の配置可能の折り曲げ部４が形成されている。【００１３】  プレート１の上部にはスプリング５が連結され、このスプリング５の上端は例えば、天井６に配置されているピクチャーレール７に連結されている。このスプリング５によりプレート１は上下動が可能に形成され、不要の場合は上方位置に移動出来、邪魔にはならないメリットを有する。【００１４】  図２はこの仕切板１００の配置の状況の一例を示すものである。打ち合わせ場所としては一般には比較的巾広のテーブル等の置物を介して行われているが本考案の仕切板１００は図２に示すように比較的巾狭のテーブル８を介して人間９，９が打ち合わせ等が必要の場合に効果を有するものである。【００１５】  図２に示すように、巾狭の置物であるテーブル８の両側には人間９，９が対峙して座接して配置されている。テーブル８が巾狭のため人間９，９間の隙間１０は巾狭のものになる。このため、一般に実施されている仕切板のようにテーブル８に固定的に配置することは難しい。従って、本考案の仕切板１００は上下動可能に形成されている。このため狭い空間にも配置することが可能となる。【００１６】  人間９，９の打ち合わせには必ずしも仕切板がなくてもよいが、最近のコロナウイルスなどの感染症が生じ易い飛沫の防止の場合は仕切板が有った方がよい。また、コロナウイルスに感染しなくても対峙して打ち合わせする人間９，９の間には互いに悪影響を与えるかも知れない飛沫が有り、その影響を防止する事が好ましく、このために仕切板が有った方がよい。しかし、巾狭の空間しかない打ち合わせ場所の場合は前記のような固定式の仕切板は設置し難い。また、複雑な形態の仕切板も設置が難しい問題点がある。この点において本考案の仕切板１００はプレート状の簡便のものであり、その材質や構造も簡単なプレート状のものからなり、巾狭の所にも容易に配置可能である。【００１７】    本考案の仕切板１００は上下動可能の形態からなり、不要の場合は上方位置に配置すればよく、打ち合わせ時の邪魔になることがない。
一方、仕切板を設けて打ち合わせを必要とする場合は、この仕切板を吊下端において固定する必要がある。【００１８】  図３は本考案の仕切板１００における拘束具の一例を示すものであり、本考案の拘束具３は単なる重量ブロック材からなる。
仕切板１００のプレート１がテーブル８に当接する吊下端では折り曲げ部４はテーブル８の上面に当接する。この状態で特別の処置をしないとプレート１はスプリング５の力により上方へ移動する。このために何らかの拘束具が必要となり、拘束具としては各種のものが考えられるが本考案の場合は拘束具３は単なる重量ブロックとした。この重量ブロックの拘束具３を折り曲げ部４の部分に乗せることによりプレート１は吊下端の位置に固定されることになる。勿論拘束具としてはこれ以外のものであってもよい。【００１９】  以上の構造の本考案の仕切板１００の存在により、打ち合わせ時における人間９，９間の飛沫等により悪影響を防止することが出来る。また、比較的安価に実施することが出来る。【００２０】  本考案は以上の説明の内容からなるが、その内容は上記のものに限定するものではなく、同一技術的範疇のものが適用されることは勿論である。
【産業上の利用可能性】
【００２１】  本考案は近接して配置されて打ち合わせ等を行う場所において適用されるものであり、構造も簡単で安価に実施できるものであり、その利用範囲としては極めて広いものである。
【符号の説明】
【００２２】１      プレート
２      空間部
３      拘束具
４      折り曲げ部
５      スプリング
６      天井
７      ピクチャーレール
８      テーブル
９      人間
１０    隙間
１００  仕切板
【図１】
0003230171.tif 000003
【図２】
0003230171.tif 000004
【図３】
0003230171.tif 000005
【手続補正書】
【提出日】令和2年10月14日(2020.10.14)
【手続補正１】
【補正対象書類名】実用新案登録請求の範囲
【補正対象項目名】請求項１
【補正方法】変更
【補正の内容】
【請求項１】
巾狭の置物を挟んで近接して対面で打ち合わせする人間の発する飛沫による弊害を防止すべく中間位置に配置される仕切板であって、該仕切板は天井位置からスプリングを介して上下動可能に吊下される透明又は半透明又は不透明のプレートからなり、最下端位置に移動した前記プレートの下端が当接するテーブルの上面には前記プレートを上方側に移動するスプリング力に拘束する重量を有する拘束具が配置され、前記拘束具は最下端位置に移動した前記プレートに着離可能に当接することを特徴とする近接位置に上下動可能に配置される仕切板。
【手続補正２】
【補正対象書類名】明細書
【補正対象項目名】０００６
【補正方法】変更
【補正の内容】
【０００６】  本考案は、以上の目的を達成するために請求項１の考案は、巾狭の置物を挟んで近接して対面で打ち合わせする人間の発する飛沫による弊害を防止すべく中間位置に配置される仕切板であって、該仕切板は天井位置からスプリングを介して上下動可能に吊下される透明又は半透明又は不透明のプレートからなり、最下端位置に移動した前記プレートの下端が当接するテーブルの上面には前記プレートを上方側に移動するスプリング力に拘束する重量を有する拘束具が配置され、前記拘束具は最下端位置に移動した前記プレートに着離可能に当接することを特徴とする。